(57)【要約】【課題】本発明は、取り付け手間を軽減でき、効率的に灌水作業が行える構成を有した灌水用チューブ保持具を提供することを目的とした。【解決手段】本発明の灌水用チューブ保持具１は、灌水用のチューブ２を保持する保持部１３と、既設の支持体４に固定可能とする本体固定部１１を有している。本体固定部１１は、枠部１２を有し、枠部１２に既設の支持体４と係合する本体係合部５が設けられ、さらに枠部１２には、一部が切り離し可能で、その切り離し部分を接合可能な接合手段１６を有している。そして、接合手段１６を接合することで枠部１２を環状にすることができる。【選択図】図２
2010051193.tif 000002
【特許請求の範囲】
【請求項１】
既設の支持体に灌水用チューブを取り付ける灌水用チューブ保持具であって、
灌水用のチューブを保持する保持部と、既設の支持体に固定される本体固定部とを有し、
前記本体固定部は、枠部を有し、当該枠部に既設の支持体と係合する本体係合部が設けられ、
さらに前記枠部は一部が切り離し可能であって、当該切り離し部分を接合する接合手段を有し、前記接合手段を接合することによって枠部が環状に繋がることを特徴とする灌水用チューブ保持具。
【請求項２】
前記枠部は、片持ち支持された揺動枠辺を持ち、
本体係合部は、対向する１対の係合壁によって構成され、
前記係合壁の少なくとも一方は前記揺動枠辺と一体に形成されていることを特徴とする請求項１に記載の灌水用チューブ保持具。
【請求項３】
前記枠部が切り離し状態から環状に繋げると、揺動枠辺の支持端側の角度が減少することを特徴とする請求項２に記載の灌水用チューブ保持具。
【請求項４】
１対の係合壁にはいずれも２以上の溝が設けられており、
既設の支持体は、断面形状が「Ｃ」形であって、背面壁と背面壁に連続する２つの側壁を有し、背面壁と側壁となす角は鋭角であり、
前記係合壁の溝に前記支持体の角が係合することを特徴とする請求項２又は３に記載の灌水用チューブ保持具。
【請求項５】
前記接合手段は揺動枠辺に設けられたフックであり、当該フックは揺動枠辺が接合される他の枠辺の内側に係合することを特徴とする請求項２乃至４のいずれかに記載の灌水用チューブ保持具。
【請求項６】
前記保持部は、灌水用チューブが保持される曲面保持部と、灌水用チューブの一部が挟み込まれる狭持部とを有し、
前記灌水用チューブは、少なくともどちらか一方に保持されていることを特徴とする請求項１乃至５のいずれかに記載の灌水用チューブ保持具。
【発明の詳細な説明】
【技術分野】
【０００１】
本発明は、植物栽培の灌水作業などに使用される灌水用チューブを、既設の桟等に固定する灌水用チューブ保持具に関するものである。
【背景技術】
【０００２】
植物栽培においては、植物栽培ハウスのような室内、又は屋外に関わらず、土壌の乾燥を防いだり、植物の生長のために灌水作業が行われる。このような灌水作業は、一般的には気温が高くなる３月頃から開始され、特に夏場７月から９月末頃の高温期に最も必要とされる。そのため、太陽が直接照りつける屋外、あるいは室内温度が４０度以上になる夏場の植物栽培ハウス等での作業は、体への負担がさらに増すものである。
【０００３】
そこで最近では、ポンプを利用して予め敷設したチューブなどに自動的に送水できる設備環境を整え、この灌水設備を利用して灌水作業を行う農家が増加している。
なお、チューブなどを敷設する場合は、チューブを畝同士の間の谷部に直に置いたり、支柱を打設して、その支柱にチューブの保持具を設ける方策等がある。
【０００４】
特許文献１には、上記した畝同士の間の谷部に支柱を打設して、その支柱にチューブ保持部を設けた灌水用チューブ保持部が開示されている。
【特許文献１】特開平８−３７９５９号公報
【発明の開示】
【発明が解決しようとする課題】
【０００５】
ところで、灌水作業で使用されるチューブは、ポンプを利用した場合の送水の際に、水の圧力によりチューブが蛇のように動くことがある。そして、チューブに発生した圧力が支柱に伝わるため、支柱においては、土中にしっかり固定され、倒れることがないようにしなければならない。
【０００６】
つまり特許文献１に記載の発明であれば、灌水用チューブを効率的に利用できる環境を構成するために、１本１本しっかりと支柱を打設しなければならない。そのため、灌水用チューブの延長距離が長い場合は、灌水作業を実行するための準備が、かなりの重労働になるという問題がある。
【０００７】
また、灌水用チューブを用いて自動散水をする場合、植物の成長に応じて植物が育成しやすいように、畝全体に十分散水が行き渡るようにしなければならない。これは、支柱の高さを変えることで払拭できるが、支柱の高さを調整する場合、支柱の長さが増すほど、土中への打設長さも長くなり、さらに重労働となる懸念がある。
【０００８】
そこで本発明は、上述した欠点に鑑み、取り付け手間を軽減して、効率的に灌水作業が行える環境を整えることが可能な灌水用チューブ保持具を提供することを課題とする。
【課題を解決するための手段】
【０００９】
上記課題を解決するため、請求項１の発明は、既設の支持体に灌水用チューブを取り付ける灌水用チューブ保持具であって、灌水用のチューブを保持する保持部と、既設の支持体に固定される本体固定部とを有し、前記本体固定部は、枠部を有し、当該枠部に既設の支持体と係合する本体係合部が設けられ、さらに前記枠部は一部が切り離し可能であって、当該切り離し部分を接合する接合手段を有し、前記接合手段を接合することによって枠部が環状に繋がることを特徴とする灌水用チューブ保持具である。
【００１０】
本発明における灌水用チューブ保持具は、本体固定部に枠部が設けられ、その枠部に既設の支持体に固定するための本体係合部が設けられている。そのため、枠部を切り離し可能とする構成とし、直線状に連続した長い既設の支持体に取り付ける場合であっても、枠部を切り離すことで本体係合部が設けられた枠部内に容易に支持体を配置させることができる。
また、保持具自体は本体係合部と既設の支持体とを係合させることで固定できるので、作業手間が殆ど掛からない。要するに、ビス等の他の取り付け部材を使用する必要がなく、容易に保持具の取り付けをすることができる。また、切り離した枠部は、既設の支持体を本体係合部に係合した後に再び接合することが可能であるため、保持具と支持体の係合状態を維持させることができる。
つまり、本発明の灌水用チューブ保持具であれば、本体係合部と既設の支持体を係合することで容易に固定でき、さらに枠部の接合手段を環状にすることで支持体との係合状態を容易に維持することができる。
【００１１】
請求項２の発明は、請求項１の発明において、前記枠部は、片持ち支持された揺動枠辺を持ち、本体係合部は、対向する１対の係合壁によって構成され、前記係合壁の少なくとも一方は前記揺動枠辺と一体に形成されていることを特徴とする灌水用チューブ保持具である。
【００１２】
請求項２の灌水用チューブ保持具は、枠部に揺動枠辺が設けられ、その揺動枠辺に１対の係合壁のうちの一方が形成されている。そのため、既設の支持体を係合させる際の取り付け作業が容易である。要するに、揺動枠辺により本体係合部である係合壁の間隔をある程度拡げることが可能であるため、支持体の幅が係合壁同士の間隔より実質的に大きい場合であっても、支持体を本体係合部に容易に取り付けることができる。
【００１３】
請求項３の発明は、請求項２の発明において、前記枠部が切り離し状態から環状に繋げると、揺動枠辺の支持端側の角度が減少することを特徴とする灌水用チューブ保持具である。
【００１４】
請求項３の灌水用チューブ保持具は、枠部を環状に接合すると揺動枠辺の支持端側の角度が減少するため、枠部内部で係合された支持体が締めつけられ、支持体との固定をより強固にすることができる。つまり、支持体は揺動枠辺に設けられた一方の係合壁ともう一方の対向した係合壁とで係合されるため、支持体を係合した後、枠部を環状にすることで係合壁同士の間隔が若干狭まる。そのため、枠部を環状にした状態と、切り離した状態とで支持体との係合力を比較すると、環状にした状態の方がより強固に支持体を締め付けることができるため、予期しない外力が生じても簡単に保持具が外れるという問題は起こりえない。
【００１５】
請求項４の発明は、請求項３に記載の発明において、１対の係合壁にはいずれも２以上の溝が設けられており、既設の支持体は、断面形状が「Ｃ」形であって、背面壁と背面壁に連続する２つの側壁を有し、背面壁と側壁となす角は鋭角であり、前記係合壁の溝に前記支持体の角が係合することを特徴とする灌水用チューブ保持具である。
【００１６】
請求項４の灌水用チューブ保持具は、１対の係合壁のいずれにも溝が設けられており、その溝に支持体の背面壁と側壁の角が嵌り込む構成である。そのため、簡単に保持具自身を支持体に係合することができる。また、溝は２以上設けられているため、本発明の灌水用チューブ保持具であれば１つの構成で、異なる方向への取り付けが可能となる。例えば、一方の溝を利用すると北向きに取り付けができるとすると、他方の溝では南向きに取り付けができる。つまり、保持具の取り付けの制限が緩和され、より効率的に取り付け作業が行える。また、支持体が植物栽培ハウスの桟を構成するようなＣ形の部材であるため、植物栽培ハウスなどの限られた範囲でも、必要最小限の場所に取り付けることができる。要するに、植物の栽培に邪魔にならないため、栽培可能面積を縮減することなく灌水装置を設けることが可能となる。
【００１７】
請求項５の発明は、請求項２乃至４のいずれかの発明において、前記接合手段は揺動枠辺に設けられたフックであり、当該フックは揺動枠辺が接合される他の枠辺の内側に係合することを特徴とする灌水用チューブ保持具である。
【００１８】
請求項５の灌水用チューブ保持具は、接合手段が枠部の内側から外側に向けて接合する構成であるため、枠部を接合した後、予期せぬ外力により容易に枠部が切り離し状態となる問題は生じない。
【００１９】
請求項６の発明は、請求項１乃至５のいずれかの発明において、前記保持部は、灌水用チューブが保持される曲面保持部と、灌水用チューブの一部が挟み込まれる狭持部とを有し、前記灌水用チューブは、少なくとも一方に保持されていることを特徴とする灌水用チューブ保持具である。
【００２０】
請求項６の灌水用チューブ保持具は、灌水用チューブを保持する保持部に曲面保持部と狭持部を有しており、灌水用チューブは少なくともどちらか一方に保持される。そのため、灌水用チューブは確実に保持され、保持部から地面等に落下する問題はない。要するに、送水あるいは散水する際に、チューブ内部に水圧が掛かるが、そのような力によってチューブが保持具から離反あるいは落下することはない。
【発明の効果】
【００２１】
本発明の灌水用チューブ保持具は、植物栽培ハウス等を構成する桟や柱等の既設の支持体に対して、保持具本体の本体嵌合部を嵌合させることにより、容易に保持具本体を所望の位置に固定できるため、少ない作業手間をもって効率的に灌水作業環境を作ることができる。
【発明を実施するための最良の形態】
【００２２】
次に本発明の実施形態である灌水用チューブ保持具１（以下、保持具１とも言う）について図面を参照しながら詳細に説明する。図１は、本発明の実施形態である灌水用チューブ保持具１を用いた灌水作業の状況を示す概略図であり、図２は、図１に示す灌水用チューブ保持具１の拡大斜視図である。
まず、本実施形態で採用された支持体４及び灌水用チューブ２について説明する。
【００２３】
灌水作業とは、図１に示すように、屋外や植物栽培ハウスなどにおいて、畝などの土壌の乾燥防止や、植物の生育のために行われる散水などで、水を供給する作業のことである。
【００２４】
本実施形態の保持具１は、植物栽培ハウス等の既存の施設に支持体４を固定して、それを利用して設置できるものであり、その保持具１に容易に灌水用チューブ２（以下、チューブ２とも言う）を敷設して灌水作業を行うことができる。なお、本実施形態で用いられた支持体４は、ステンレス等の金属で製品化された「ビニペット」（東都興業株式会社製）が採用されている。この支持体４は、図２に示すように、外観が「Ｃ」形である。つまり支持体４は、背面壁５１の両端側を一方向に曲げた側壁５２，５２を有する構成で、背面壁５１と側面壁５２は、鋭角を成し、本実施形態が言うところの支持体係合部２２が形成されている。また、各側面壁５２の端部には略環状に曲げられた環状部が形成されている。
なお本実施形態で採用する支持体４は、植物栽培ハウスを構成する既設の柱を利用して固定する構成であり、支持体４は各柱にビスや釘（図示しない）などを用いて固定する。なお、本発明はこの固定方法に限られるわけではない。要するに、支持体４が容易に固定できればよい。
【００２５】
また、本実施形態で採用されている灌水用チューブ２は、「ミストエースＳ５４あるいはミストエースＳ７２」（住化農業資材株式会社製）である。このチューブ２は、図７（ａ），（ｂ）に示すように、散水孔５４が設けられ、送水時と非送水時で形状を変化させる。詳細には、送水時には、図７（ａ）のように水圧により断面積が略円状となり、非送水時は、図７（ｂ）のようにチューブ２の内部に大気圧を押しのける圧力を生じなくなるため、略平面状に半分に折りたたまれた形状となる。
【００２６】
また、このチューブ２は、図７（ａ）に示すように外径上で、円の中心を基準に対向する位置に突起部３１，３１が形成されている。さらに、この突起部３１は、チューブ２の長手方向、いわゆるチューブ２の長さ方向に連続して設けられている。そして、この突起部３１，３１は、後述する保持部１３に形成された狭持部１９，２０に挟まれチューブ２が保持されるものである。
【００２７】
次に灌水用チューブ保持具１の各部位の構造について説明する。
灌水用チューブ保持具１は、プラスチック等の合成樹脂により構成されており、図２、図３，図４の様に本体固定部１１と灌水用チューブ２を保持する保持部１３とで構成されている。そして、本体固定部１１が既設の支持体４に固定され、保持部１３には灌水用チューブ２が敷設されるものである。
【００２８】
本実施形態の灌水用チューブ保持具１は、図２に示すように、本体保持部１１が枠部１２と張出部１４とで構成されており、張出部１４の長さにより２種類のタイプに分けられている。要するに、本実施形態では、張出部１４の長さが短いタイプＡと、張出部１４の長さが長いタイプＢの２つのタイプが採用されている。言い換えると、張出部１４の長さは、タイプＡよりもタイプＢの方が長い。なお、タイプＡ及びタイプＢは、双方とも略同じ構成であるため、主にタイプＡについて説明することとする。
図３は、図２に示すタイプＡの灌水用チューブ保持具を示す側面図である。
【００２９】
まず張出部１４について説明すると、図３に示すように、外観は長方形の棒形状と曲線状を組み合わせた構成であり、張出部１４の側面ｄ，ｅ（図２）は、軽量化を目的として、形あるいは大きさの異なる複数の貫通しない長方形状の孔及び一部曲線状を有する孔が形成されている。つまり側面ｄと側面ｅに挟まれた略中央には、仕切板４１が設けられており、側面ｄ側と側面ｅ側に形成された前記した孔は仕切板４１に対して対称な構造である。
また、側面ｄ，ｅ及び仕切板４１を繋ぐ上面ｆには、２個の補助突起５３が設けられている。補助突起５３は、側面視した形状が直角三角形である。そして補助突起５３同士は、結束バンド等が掛けられる掛架部５５を形成している。その掛架部５５は、補助突起５３の９０度の角度を有する一辺を向かい合わせて、一定長さの間隔を空けることで形成されるものである。
【００３０】
また張出部１４の一端部側には保持部１３が設けられ、他端部側には枠部１２が設けられており、両者は張出部１４を挟んで対向するように配置されている。さらに前記両者は、張出部１４が有する一定の長さにより、間隔を空けて配置されている。
また、張出部１４は、保持部１３側に張出枝部３７，３８が設けられており、さらに張出枝部３７は中途が分岐されて補強部３６が形成された構成である。なお補強部３６により、チューブ２やその他の外力から伝わる力が分散されるため、張出部１４の局部が外力による疲労で破損することを防止できる。
【００３１】
また枠部１２は、図３に示すように、張出部１４を一辺に持ち、係合面２４と係接合面２５と接合面２６により構成され、枠部１２の内部は支持体４を上下左右に動かせるほどの空間が設けられている。
この枠部１２は、上部に張出部１４が位置し、その張出部１４の一端部から略垂直に下方に延びた位置に係合面２４が配されている。この係合面２４には、枠部１２の内部方向に突出した係合壁１７が設けられている。この係合壁１７は、係合面２４に対して略垂直に突出しており、側面視した形状は２個の波を組み合わせた波形状である。つまり、係合壁１７の下部側に２つの溝４２，４３が形成されている。
【００３２】
また、この係合面２４の下方に位置する端部から連続、且つ係合面２４に対して略直角あるいは鈍角を有する角度に曲げられた係接合面２５が設けられている。要するに、係接合面２５は、係合面２４の端部に片持ち支持された揺動枠辺である。また係接合面２５の支持端側と反対の端部にフック状の凸接合部２１（接合手段１６）が形成されている。この凸係合部２１は、係接合面２５の一端部を下方に曲げた形状であるため、枠部１２の内側から外側に向けて係合できる構成である。
また係接合面２５には、前記した係合壁１７と同様の溝４４，４５が形成された係合部１５（係合壁）が設けられており、係合壁１７と対向する位置に配されている。言い換えれば、係合部１５は係接合面２５の支持端側に形成されている。要するに、係合壁１７と係合部１５に形成された２個ずつの溝は、互いに向かい合った一対の構成で、支持体４が係合される程度の間隔が設けられている。
【００３３】
また、張出部１４の中途には係合面２４と略平行に下方に延びた接合面２６が設けられており、その接合面２６の下方に位置する端部には凸接合部２１が接合可能な凹接合部２３（接合手段１６）が形成されている。この凹接合部２３は、接合面２６の一端部を溝を有するように曲げた形状であり、その溝は上方を向くように形成されている。つまり、枠部１２は切り離し可能であり、係接合面２５を上下に揺動させて凸接合部２１を凹接合部２３に接合できる構成である。さらに、揺動枠辺たる係接合面２５は、接合した状態では凸接合部２１と反対の支持端側の角度が９０度よりも小さくなる。つまり、枠部１２の接合状態では、切り離した状態と比べると、係接合面２５と係合面２４が形成する角度は小さくなる。
【００３４】
つまり、枠部１２を上記構成とすることで、時間を掛けずに、支持体４に保持具１をしっかり固定できる。要するに、本体係合部５には、支持体４を係合させることで保持具１を固定できるため、ビスなどの取り付け部材を必要としない。また枠部１２には、凸接合部２１及び凹接合部２３が設けられ、切り離し可能な構成であるため、支持体４の長さに関わらず、容易に支持体４を枠部１２の内部に配置させることができる。さらに、揺動枠辺たる係接合面２５は上下に揺動可能であり、接合することで支持端側の角度が減少するため、より確実且つ強固に支持体４に保持具１を固定できる。
【００３５】
保持部１３は、図３に示すように、互いに対向する配置の狭持部１９，１９及び２０，２０とそれら狭持部１９，２０よりも下部に上向きに凹形状である曲面保持部１８を有する構成である。
【００３６】
狭持部１９，２０は、図２に示すように、灌水用チューブ２を保持したときのチューブ２の長さ方向に平行に形成された細長い空間である。詳しくは、狭持部１９，２０は、１つの垂直部３２に対して３つの水平部３３，３４，３５によって構成されている。要するに、水平部３３，３４，３５が高さ方向に間隔を空けながら層状に配されることで形成される空間が狭持部１９，２０である。そして、それらの水平部３３，３４，３５の外側端部を垂直部３２に接合する構成とすることで、それぞれの前記間隔が維持される構成となる。
【００３７】
なお、水平部３３は、図３に示すように、側面視した形状が三角形と長方形を組み合わせた形状である。つまり、水平部３３の上部側の中途から垂直部３２と反対方向に角が切り落とされており、先端に向かうほど水平部３３の厚みが薄くされた尖形状である。これにより、チューブ２の外径が水平部３３同士の間隔よりも大きい場合でも、チューブ２の一部が水平部３３同士に挟まれてチューブ２を保持することができる。
また、灌水用チューブ２に設けられた突起部３１が狭持部１９又は２０に保持され、送水時あるいは非送水時のどちらの状況においても、チューブ２を保持具１に安定して配置させることができる。
【００３８】
また、狭持部２０を構成する水平部３５は、対向する他方の狭持部２０を構成する水平部３５と連続した構成である。そして、この連続した部位が曲面保持部１８であり、図３に示すように、チューブ２を配置したときのチューブ２の円弧と同方向（高さ方向下方）に凸状にチューブ２より大きいあるいは同程度の円弧が形成されている。言い換えると、上向きに凹状の円弧が形成されている。つまり、この構成により、本実施形態で採用した外径部に突起部３１を設けたチューブ２以外のもの（突起部３１がなく一般的に使用されているチューブ等）であっても保持されるため、チューブを保持具１に安定して配置させることができる。
【００３９】
上記したように保持部１３は、張出部１４に接合されている。詳しくは、張出枝部３７，３８及び補強部３６が接合されており、さらに側面ｄ，ｅに挟まれた略中央の仕切板４１によって保持部１３を下方から支持している。さらに詳しくは、狭持部２０を構成する水平部３５は仕切板４１及び張出枝部３７，３８に接合され、曲面保持部１８は張出枝部３７から分岐した補強部３６及び仕切板４１に接合されている。
【００４０】
次にタイプＢについてタイプＡと比較して説明する。
図４は、図２に示すタイプＢの灌水用チューブ保持具を示す側面図である。タイプＢの保持具１は、張出部１４の長さがタイプＡの長さよりも長い。また、タイプＡとタイプＢの枠部１２の係合部１５及び係合壁１７と、接合手段１６は、係合面２４を軸にして略鏡像の関係である。つまりタイプＢの枠部１２は、図４に示すように、接合面２６が張出部１４の端部から下方に延びており、係合面２４が張出部１４の中途で接合面２６に略平行に下方に延びており、係接合面２５が係合面２４の下端部から連続して張出部１４に略平行に延びた構成とされている。要するに、係接合面２５は、係合面２４の下端部に片持ち支持された揺動枠辺である。
【００４１】
この枠部１２の鏡像の関係により、図２に示すように、それぞれのタイプを互いに対向する方向に配置させることができる。そのため、１本の支持体４を用いて、異なる場所への灌水作業が可能となる。
【００４２】
つまり、タイプＢの保持具１においても、タイプＡと同様に支持体４を係合部１５，係合壁１７で係合し、接合手段１６を接合することで保持具１自体が容易に外れないようにしっかりと固定することができる。
【００４３】
図１に示すように、植物栽培ハウス内における灌水用チューブ保持具１は、植物栽培ハウスを構成する柱に固定された支持体４に係合させることで支持される。詳細には、図２に示すように、保持具１の枠部１２における本体係合部５である係合部１５及び係合壁１７によって支持体４に固定されている。このとき、支持体４の支持体係合部２２と係合している。そして、枠部１２に設けられた接合手段１６が接合状態を維持することで、枠部１２が環状を維持して本体係合部５の係合力が強化される配置である。
【００４４】
そして、枠部１２の高さ方向上部には張出部１４が設けられており、保持部１３に繋がっている。つまり、保持部１３は、張出部１４の長さの分だけ支持体４から離れた位置に配されている。また、保持部１３は、張出部１４の端部である張出枝部３７，３８及び補強部３６に下方から支持された配置である。
また、保持部１３には灌水用チューブ２が置かれ、チューブ２の曲面の一部が曲面保持部１８に保持され、チューブ２の突起部３１が狭持部１９あるいは２０に保持される。
【００４５】
本実施形態では、保持具１の既設の支持体４への固定作業には、ビスなどの取り付け部材を必要としない。そのため、時間を掛けずに容易に固定可能であるので作業効率が高い。また、柱に固定する支持体４の高さの配置を調整するだけで、植物に最適な高さに変更することができるため、植物の成長に応じて容易に保持具１の高さを調整することができる。
【００４６】
また、保持具１におけるタイプＡとタイプＢは、互いに鏡像の関係であるので、図１のように、連棟式の植物栽培ハウス等の場合、その施設を構成する谷部の柱に固定された支持体４に異なるあるいは同じタイプの保持具１を交互に配置させることで、１本の支持体４により２方向の畝に散水などを行うことができる。
【００４７】
次に灌水用チューブ保持具１を既設の支持体４に取り付ける方法について、図面を用いて説明する。
【００４８】
まず、図５（ａ）に示すように、枠部１２に設けられた接合手段１６を切り離した状態にする。つまり、凸接合部２１を凹接合部２３の溝から上方に持ち上げて凸接合部２１が凹接合部２３に接合しないように下方へ下ろす。
そして、枠部１２の切り離したところから支持体４を枠部１２の内部に位置するように、保持具１を支持体４の上部から移動させる。
【００４９】
すると、図５（ｂ）に示すように、本体係合部５に支持体４を係合させることができる。このとき、保持部１３側を上方あるいは下方に傾けることで、支持体４の支持体係合部２２を係合壁１７と係合部１５の間に容易に配置させることができる。
そして、その状態から図５（ｃ）に示すように、保持部１３の傾きを水平に戻すことで、支持体係合部２２が本体係合部５に完全に嵌り込む。このとき、「カチッ」という音がするので、取り付け時の確認は容易である。なお、目視のみでも支持体４と本体係合部５との係合状態の確認は容易である。
【００５０】
そして次に、切り離した本体係合部５を再び接合する。要するに、揺動枠辺たる係接合面２５の凸接合部２１側を上方に移動させて、図３に示すように凹接合部２３の溝に係合させる。このとき、係接合面２５の凸接合部２１側が支持端側より若干上部に位置するため、本体係合部５の締まりが強くなる。これにより、本体固定部１１と支持体４との固定力がより強固になり、外れにくくなる。即ち係接合面２５は片持ち支持状であり、係接合面２５の凸接合部２１側を凹接合部２３の溝に係合させ、全体として四角形の枠部１２を構成させることにより、揺動枠辺の支持端側の角度が減少し、本体係合部５同士が近接する。そのため本体係合部５によって支持体４が締めつけられる。
【００５１】
なお、本発明の灌水用チューブ保持具１は、耐久性に優れるものであるが、長期間の使用により接合手段１６が破損する状況が考えられる。その場合、支持体４を締め付けるために、揺動枠辺の角度を減少させてその状態を維持させることが不可能になる。しかし、本発明の保持具１は、このような状況にも適応できる構成となっている。即ち、図６に示すように、上記した補助突起５３により形成された掛架部５５と揺動枠辺たる係接合面２５に「インシュロック」（ヘラマンタイトン株式会社製）等の結束バンドを掛架することで支持体４を締め付ける効果を得ることができる。
【００５２】
したがって、上記したように保持具１の本体固定部１１に枠部１２を設け、枠部１２に本体係合部５及び接合手段１６を設ける構成とすることで、効率的な取り付け作業を行うことができる。
つまり、接合手段１６を切り離し可能として既設の支持体４を枠部１２の内部に配置させやすくすることで、支持体４の長さに関わらず、欲しい箇所にピンポイントに配置させることが可能となる。さらに接合手段１６は、接合時に揺動枠辺の凸接合部２１側が支持端側より若干上方に持ち上がるため、本体係合部５の固定力を強化することができる。
また、その本体係合部５は、１対の向かい合った係合壁１７と係合部１５によって構成されており、それぞれの向かい合った面には支持体４を係合する溝が形成されている。そのため、保持具１は確実に支持体４と係合することができる。つまり本実施形態の保持具１は、ビスなどの取り付け部材を必要とせず、容易に既設の支持体４に固定することができる。また、支持体４は植物栽培ハウスなどの既設の柱などにビスなどで簡単に固定できる構成であるため、植物の成長に応じて容易に高さの調整をすることができる。
【００５３】
本実施形態の保持具１では、支持体４として「ビニペット」（東都興業株式会社製）を採用した構成を示したが、本発明はこれに限定されるわけではない。要するに、他社製品であっても、上記した実施形態の本体嵌合部１５，１７に嵌合可能な構成であれば構わない。
【００５４】
本実施形態の保持具１では、保持するチューブ２を「ミストエース２０」（住化農業資材株式会社製）を採用した構成を示したが、本発明はこれに限定されるわけではない。
例えば、灌水作業において、一般的に使用されている突起部３１が設けられていないチューブであっても構わない。つまり、上述した実施形態の保持具１は、狭持部１９，２０と曲面保持部１８が設けられており、少なくともどちらか一方と保持されていれば、安定した灌水作業が行える構成だからである。
【００５５】
本実施形態の保持具１は、狭持部１９，２０を高さ方向に２カ所設ける構成を示したが、本発明はこれに限定されるわけではない。
例えば、狭持部は１カ所あるいは３カ所以上であっても構わない。
【００５６】
本実施形態の保持具１は、接合手段１６が凹凸形状の構成を示したが、本発明はこれに限定されるわけではない。
例えば、一方の面にスリットを設け、他方の面の端部を差し込むことで係合させる構成であっても構わない。要するに、枠部１２が開閉可能で、係合手段１６は高さ方向上方に解放可能で、下方向きに係合される構成であれば上述した実施形態と同様の効果を得ることができる。
【００５７】
本実施形態の保持具１は、係合面２４に略垂直な係合壁１７を設けた構成を示したが、本発明はこれに限定されるわけではない。
例えば、係合壁１７は、張出部１４が兼ねる構成であっても構わない。要するに、支持体４が本体係合部５に挟まれて係合される構成であれば、取り付け手間が掛からず、保持具１は容易に固定することができる。
【００５８】
本実施形態の保持具１は、タイプＡとタイプＢは、枠部１２が係合面２４を軸に鏡像の関係を示したが、本発明はこれに限定されるわけではない。
例えば、タイプＡとタイプＢは鏡像の関係ではなく、張出部１４の長さだけが異なる構成であっても構わない。
【００５９】
本実施形態の保持具１は、本体係合部５に形成された溝の形状が波形状の構成を示したが、本発明はこれに限定されるわけではない。
例えば、側面視した形状が矩形状の凹凸であっても構わない。要するに、支持体４に嵌合できればよい。
【図面の簡単な説明】
【００６０】
【図１】連棟式の植物栽培ハウスに灌水用チューブ保持具を取り付けた状況を示す概略図である。
【図２】灌水用チューブ保持具を示す斜視図である。
【図３】図２に示すタイプＡの灌水用チューブ保持具を示す側面図である。
【図４】図２に示すタイプＢの灌水用チューブ保持具を示す側面図である。
【図５】タイプＡの灌水用チューブ保持具の係合部を解放した状況を示す側面図で、（ａ）灌水用チューブ保持具の枠部を開いた状況，（ｂ）灌水用チューブを傾けて枠部に支持体の一部を係合させた状況，（ｃ）枠部に支持体を係合させた状況である。
【図６】接合手段が破損した場合の対処手段を示す灌水用チューブ保持具の側面図である。
【図７】（ａ）灌水用チューブの送水時を示す断面図で、（ｂ）灌水用チューブの非送水時を示す断面図である。
【符号の説明】
【００６１】
１    灌水用チューブ保持具（保持具）
２    灌水用チューブ（チューブ）
４    支持体
５    本体係合部
１１    本体固定部
１２    枠部
１３    保持部
１５    係合部
１６    接合手段
１７    係合壁
１８    曲面保持部
１９，２０  狭持部
２２    支持体係合部
２５    係接合面（揺動枠辺）
【図１】
2010051193.tif 000003
【図２】
2010051193.tif 000004
【図３】
2010051193.tif 000005
【図４】
2010051193.tif 000006
【図５】
2010051193.tif 000007
【図６】
2010051193.tif 000008
【図７】
2010051193.tif 000009